(57)【要約】  【課題】  蛍光ランプ周辺の短絡時に合理的にインバータ回路動作を停止する。  【解決手段】  交流電源１の整流回路２とチョッパー回路３による直流電源Ｖが供給され交互に開閉される直列一対のスイッチング素子をもつインバータ回路４と、インバータ回路４の中点出力からコンデンサ５とチョークコイル６を介して接続される蛍光ランプ７と、蛍光ランプ７の二次側に並列接続されるコンデンサ８と、前記チョークコイル６に設けた副巻線９に発生する電圧に基づいて電圧生成される制御電源回路１０と、制御電源回路１０の出力電圧が供給される制御回路１１とを備え、制御回路１１によりインバータ回路４が制御される。蛍光ランプ７周辺が短絡した時、副巻線９に発生する電圧の低下により制御電源回路１０の出力電圧が制御回路１１の動作可能電圧以下に低下するように設定される。【選択図】  図１
2006004749.tif 000002
【特許請求の範囲】
【請求項１】
直流電源が供給され交互に開閉される直列一対のスイッチング素子をもつインバータ回路と、インバータ回路の中点出力からコンデンサとチョークコイルを介して接続される蛍光ランプと、蛍光ランプの二次側に並列接続されるコンデンサと、前記チョークコイルに設けた副巻線に発生する電圧に基づいて電圧生成される制御電源回路と、制御電源回路の出力電圧が供給される制御回路とを備え、制御回路によりインバータ回路が制御される蛍光ランプ点灯装置であって、蛍光ランプ周辺が短絡した時、副巻線に発生する電圧の低下により制御電源回路の出力電圧が制御回路の動作可能電圧以下に低下するように設定された蛍光ランプ点灯装置。
【発明の詳細な説明】
【技術分野】
【０００１】
本発明は、蛍光ランプ周辺短絡時を考慮した蛍光ランプ点灯装置に関する。
【背景技術】
【０００２】
直流電源が供給され交互に開閉される直列一対のスイッチング素子をもつインバータ回路と、インバータ回路の中点出力からコンデンサとチョークコイルを介して接続される蛍光ランプと、蛍光ランプの二次側に並列接続されるコンデンサと、制御回路とを備え、制御回路によりインバータ回路が制御される蛍光ランプ点灯装置は公知である(特許文献１など参照)。そして、蛍光ランプ周辺が短絡した時(蛍光ランプへのリード線間短絡や蛍光ランプの二次側コンデンサの短絡など)の短絡電流は、電気用品安全法で定格二次電流の１１５％以下に抑えるよう規定されているので、大抵の蛍光ランプ点灯装置では、インバータ回路の発振を停止させることなく前記規定内であればインバータ回路動作が継続されている。
【特許文献１】特開２００３−１９７３９４号公報
【発明の開示】
【発明が解決しようとする課題】
【０００３】
しかし、このような短絡時の過電流による悪影響(過温度上昇など)をできるだけ避けたい場合には、一般的に短絡検出回路を別途設けてインバータ回路の動作を停止することが考えられるが、余分なスペースの確保やコスト上昇も伴なう。本発明はこのような解決すべき課題を鑑み、蛍光ランプ周辺の短絡時に合理的にインバータ回路動作を停止することを目的とする。
【課題を解決するための手段】
【０００４】
本発明を要約すると、直流電源が供給され交互に開閉される直列一対のスイッチング素子をもつインバータ回路と、インバータ回路の中点出力からコンデンサとチョークコイルを介して接続される蛍光ランプと、蛍光ランプの二次側に並列接続されるコンデンサと、前記チョークコイルに設けた副巻線に発生する電圧に基づいて電圧生成される制御電源回路と、制御電源回路の出力電圧が供給される制御回路とを備え、制御回路によりインバータ回路が制御される蛍光ランプ点灯装置であって、蛍光ランプ周辺が短絡した時、副巻線に発生する電圧の低下により制御電源回路の出力電圧が制御回路の動作可能電圧以下に低下するように設定された蛍光ランプ点灯装置である。
【発明の効果】
【０００５】
本発明によれば、蛍光ランプ周辺が短絡した時、チョークコイルの副巻線に発生する電圧が低下することを利用して、制御電源回路の出力電圧が制御回路の動作可能電圧以下に低下するようにでき、これにより、短絡時の過電流による悪影響を避けることができる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、交流電源１の整流回路２とチョッパー回路３による直流電源Ｖが供給され交互に開閉される直列一対のスイッチング素子をもつインバータ回路４と、インバータ回路４の中点出力からコンデンサ５とチョークコイル６を介して接続される蛍光ランプ７と、蛍光ランプ７の二次側に並列接続されるコンデンサ８と、前記チョークコイル６に設けた副巻線９に発生する電圧に基づいて電圧生成される制御電源回路１０と、制御電源回路１０の出力電圧が供給される制御回路１１とを備え、制御回路１１によりインバータ回路４が制御される蛍光ランプ点灯装置であって、蛍光ランプ７周辺が短絡(蛍光ランプ７へのリード線間短絡や蛍光ランプ７の二次側コンデンサ８の短絡など)した時、副巻線９に発生する電圧の低下により制御電源回路１０の出力電圧が制御回路１１の動作可能電圧以下に低下するように設定された蛍光ランプ点灯装置である。なお、制御回路１１の出力は適宜、ドライバ回路１２を介してインバータ回路４に供給されている。また、蛍光ランプ７の寿命末期のエミレス点灯状態を検出する寿命末期検出回路１３の出力は制御回路１１に供給されている。
【０００８】
蛍光ランプ７の定常点灯時にチョークコイル６の主巻線両端に発生する電圧は、図５のようにVL1で示され、ピークが高くなっている。そして、前記主巻線と副巻線９の巻数比に応じて副巻線９にもピークの高い電圧が発生する。その電圧は図２のように、ダイオードD1で整流されてコンデンサC3で平滑されて例えば約17Vになり、さらにトランジスタQ3、定電圧ダイオードZD1、抵抗R1による定電圧回路を経て、逆電流防止ダイオードD2を介して制御回路１１に供給される(例えばVcc＝約13V)。そして、制御回路１１はこの電圧供給により動作している。なお、Vlaは蛍光ランプ７の両端電圧、VC1はコンデンサC1の出力電圧である。
【０００９】
蛍光ランプ７周辺の短絡(蛍光ランプ７へのリード線間短絡や蛍光ランプ７の二次側コンデンサ８の短絡など)時には、図７のようにVL1が図５に比べて大きく低下し、コンデンサC3の電圧も約8Vに低下する。この電圧は定電圧ダイオードZD1(そのブレークオーバー電圧は約14V)をブレークオーバーしないため、抵抗R1を介したベース電流によるトランジスタQ3のオン動作であまり電圧降下なく制御回路１１に加わる(Vcc＝約7V)。この電圧は、制御回路１１の動作可能電圧(約10V以上)以下であるので制御回路１１の動作は停止され、インバータ回路４の発振動作も停止する。そうすると、蛍光ランプ７側(負荷側)の短絡電流もなくなり、VL1＝0Vとなり、制御回路１１のVccもOVになる。なお、短絡原因が解除された場合は、本蛍光ランプ点灯装置に交流電源１を投入し直すことで再び動作が開始されるように設定されていると好ましい。
【００１０】
以上示した本実施形態によれば、蛍光ランプ７周辺部分が短絡した時、チョークコイル６の副巻線９に発生する電圧が低下することを利用して、制御電源回路１０の出力電圧が制御回路１１の動作可能電圧以下に低下するようにでき、これにより、短絡時の過電流による悪影響を避けることができる。
【図面の簡単な説明】
【００１１】
【図１】本発明の実施形態を示す回路ブロック図
【図２】同要部詳細回路図
【図３】図１を簡略化して示す回路図
【図４】同定常動作時の等価回路図
【図５】同動作波形図
【図６】同短絡時の等価回路図
【図７】同動作波形図
【符号の説明】
【００１２】
１  交流電源
２  整流回路
３  チョッパー回路
Ｖ  直流電源
４  インバータ回路
５  コンデンサ
６  チョークコイル
７  蛍光ランプ
８  コンデンサ
９  副巻線
１０  制御電源回路
１１  制御回路
【図１】
2006004749.tif 000003
【図２】
2006004749.tif 000004
【図３】
2006004749.tif 000005
【図４】
2006004749.tif 000006
【図５】
2006004749.tif 000007
【図６】
2006004749.tif 000008
【図７】
2006004749.tif 000009